(57)【要約】 【課題】温度によって表示状態が変動する電気泳動表示パネル等により構成された表示部の温度ムラを抑制し、表示不具合の発生を防止することを課題とする。【解決手段】温度によって表示状態が変動する電気泳動表示パネル等により構成された表示部を有する表示装置であって、前記表示装置を構成する複数の構成部品を実装する基板を備え、前記構成部品のうち、電源部品、ＣＰＵ、メモリ等の発熱部品を、前記基板上の、前記表示部の表示面と重ならない位置に配置することを特徴とする。【選択図】図２
2010170052.tif 000002
【特許請求の範囲】
【請求項１】
温度によって表示状態が変動する表示部を有する表示装置であって、
前記表示装置を構成する複数の構成部品を実装する基板を備え、
前記構成部品のうち、発熱部品を、前記基板上の、前記表示部の表示面と重ならない位置に配置することを特徴とする表示装置。
【請求項２】
請求項１に記載の表示装置において、
前記基板の一部が前記表示部の表示面と重なることを特徴とする表示装置。
【請求項３】
請求項２に記載の表示装置において、
前記表示部の表示面と重なる前記基板の一部に、前記表示部の温度を測定するための温度センサを備え、
前記温度センサにより測定された温度に基づいて前記表示部の表示を制御する表示制御手段を更に備えることを特徴とする表示装置。
【請求項４】
請求項３に記載の表示装置において、
前記表示部の表示面と重なる前記基板の一部の領域のうち、前記温度センサを、前記表示部の中央に最も近い位置に配置することを特徴とする表示装置。
【発明の詳細な説明】
【技術分野】
【０００１】
本発明は、温度によって表示状態が変動する表示部における表示不具合を防止する表示装置に関するものである。
【背景技術】
【０００２】
近年、表示の書換えが可能で、薄く、柔らかく、軽い電気泳動表示パネルにより構成された電子ペーパー等による表示装置に関する技術の開発が進められている。
【０００３】
このような電子ペーパーによる表示装置は、紙や書籍のような感覚で利用することができるほか、高解像度で、さらには書換え時にのみ電力を消費する等の省電力性に優れているという利点があるが、その一方で、温度による表示特性の変化が大きいという課題がある。
【０００４】
このような課題に対し、温度センサを表示装置に設けて、電子ペーパーの周囲温度を検出し、表示制御インターフェースへフィードバック制御することにより、表示を安定的に行なう方法が知られている。
【０００５】
例えば、特許文献１では、表示装置を構成する複数の構成部材に温度センサを備えて、各構成部材の温度をそれぞれ測定し、温度補償を行なって高品質な表示画像を表示させる記憶性表示装置が開示されている。
【先行技術文献】
【特許文献】
【０００６】
【特許文献１】特開２００７−２５６７２７号公報
【発明の概要】
【発明が解決しようとする課題】
【０００７】
一般に、表示装置のＣＰＵやメモリの温度は、周囲温度より約１０度程度高く、電源回路は周囲温度より約２０度程度高くなることもあり、これら高温の発熱部品が電子ペーパーパネルの表示状態に及ぼす影響も大きい。
【０００８】
例えば、電気泳動表示パネルにより構成された電子ペーパーの場合、約５度温度が違うと、表示される像の階調が異なってしまうことがある。
【０００９】
上述した記憶製表示装置のように、各構成部材の温度を測定したとしても、表示装置に備えられた電源回路やＣＰＵやメモリなどの発熱部品が電子ペーパーパネルの近く（例えば直下等）にある場合には、発熱部品に近い（或いは接している）電子ペーパーパネルの一部分のみ温度が高くなってしまい、電子ペーパーパネル自体に温度ムラが発生し、部分的に表示濃度が変わったり残像が残ったりといった表示不具合が発生する。
【００１０】
また、温度センサの取り付け位置が、電子ペーパーパネル自体の温度を正確に測定できる位置でないと、実際の電子ペーパーパネルの温度を正確に測定することができず、最適な表示制御を行うことができないといった問題もある。
【００１１】
本発明は、上述したような課題に鑑みてなされたものであり、温度によって表示状態が変動する電気泳動表示パネル等により構成された電子ペーパー等の表示部を有する表示装置において、電源部品、ＣＰＵ、メモリ等の発熱部品を、表示部の表示面と重ならない位置に配置させることにより、表示部における温度ムラを抑制し、表示不具合の発生を防止した表示装置を提供することを課題とする。
【課題を解決するための手段】
【００１２】
上記課題を解決するために、請求項１に記載の発明は、温度によって表示状態が変動する電気泳動表示パネル等により構成された表示部を有する表示装置であって、前記表示装置を構成する複数の構成部品を実装する基板を備え、前記構成部品のうち、電源部品、ＣＰＵ、メモリ等の発熱部品を、前記基板上の、前記表示部の表示面と重ならない位置に配置することを特徴とする表示装置である。
【００１３】
この発明によれば、電源部品、ＣＰＵ、メモリ等の発熱部品を、表示部の表示面と重ならない位置に配置させたので、表示部における温度ムラを抑制し、表示不具合の発生を防止することができる。
【００１４】
上記課題を解決するために、請求項２に記載の発明は、請求項１に記載の表示装置において、前記基板の一部が前記表示部の表示面と重なることを特徴とする表示装置である。
【００１５】
この発明によれば、省スペース性の高い表示装置を実現できる。
【００１６】
上記課題を解決するために、請求項３に記載の発明は、請求項２に記載の表示装置において、前記表示部の表示面と重なる前記基板の一部（基板上の表又は裏に実装）に、前記表示部の温度を測定するための温度センサを備え、前記温度センサにより測定された温度に基づいて前記表示部の表示を制御する表示制御手段を更に備えることを特徴とする表示装置である。
【００１７】
この発明によれば、表示部の表示面と重なる基板の一部に温度センサを備えたので、当該温度センサによって表示部の温度を正確に測定して、測定結果に基づく最適な駆動波形の制御信号によって表示部を制御することができ、省スペース性が高く、かつ安定表示が可能な表示装置を実現できる。
【００１８】
上記課題を解決するために、請求項４に記載の発明は、請求項３に記載の表示装置において、前記表示部の表示面と重なる前記基板の一部の領域のうち、前記温度センサを、前記表示部の中央に最も近い位置に配置することを特徴とする表示装置である。
【００１９】
この発明によれば、表示部の温度をより正確に測定することができる。
【発明の効果】
【００２０】
本発明によれば、電源部品、ＣＰＵ、メモリ等の発熱部品を、表示部の表示面と重ならない位置に配置させることにより、表示部における温度ムラを抑制し、表示不具合の発生を防止することができる表示装置を実現できる。
【図面の簡単な説明】
【００２１】
【図１】本実施形態に係る携帯型表示装置１の概要構成例を示すブロック図である。
【図２】本実施形態に係る携帯型表示装置１の構成部材の配置を示す平面図である。
【図３】図２のＡ−Ａ断面図である。
【図４】表示部１０６と温度センサ１１２の配置の他の実施例である。
【発明を実施するための形態】
【００２２】
以下、本発明の実施の形態を図面を参照して説明する。
【００２３】
なお、以下に説明する実施の形態は、携帯型表示装置１に本発明を適用した場合の実施形態である。
【００２４】
始めに、図１等を参照して、本実施形態に係る携帯型表示装置１の構成及び動作概要について説明する。
【００２５】
図１は、本実施形態に係る携帯型表示装置１の概要構成例を示すブロック図である。
【００２６】
図１に示すように、携帯型表示装置１は、筐体内に、携帯型表示装置１全体を統括制御するＣＰＵ（Central Processing Unit）１０１と、ファームウエア等を記憶するＲＯＭ（Read Only Memory）１０２と、各種制御プログラムやユーザ設定等のデータを記憶するフラッシュＲＯＭ１０３と、ＣＰＵ１０１の制御処理に必要なデータを一時的に記憶するＲＡＭ（Random Access Memory）１０４と、決定キー、拡大キー、縮小キー、電源キー、ページめくりキー等から構成され、入力手段としてユーザからの指示を指示情報としてＣＰＵ１０１に供給する操作キー１０５と、コンテンツを画面に表示する表示部１０６と、ＣＰＵ１０１からの指示に基づき表示部１０６による表示を制御する表示コントローラ１０７と、を備えている。
【００２７】
また、携帯型表示装置１は、例えばリチウムイオン電池等から構成されるバッテリー１０８と、バッテリー１０８に対する充電を制御する充電コントローラ１０９と、メモリカードドライブ等により構成され、ＣＰＵ１０１からの指示に基づきメモリカードドライブに挿入されたメモリカードＭＣに対してデータの書き込み及び読み出しを行なうメモリカードＩ／Ｆ（インターフェース）１１０と、携帯型表示装置１とパーソナルコンピュータ等の外部装置とを有線または無線により接続してデータを送受信するためのインターフェース処理を行なう通信Ｉ／Ｆ１１１と、を備えている。
【００２８】
さらに、携帯型表示装置１は、サーミスタ、熱電対、測温抵抗体等によって構成された温度センサ１１２を備える。
【００２９】
そして、ＣＰＵ１０１と、ＲＯＭ１０２、フラッシュＲＯＭ１０３、ＲＡＭ１０４、操作キー１０５、表示コントローラ１０７、充電コントローラ１０９、メモリカードＩ／Ｆ１１０及び通信Ｉ／Ｆ１１１、温度センサ１１２とは、バス１１３を介して相互に接続されている。
【００３０】
表示部１０６は、温度によって表示状態が変動する電気泳動表示パネルや液晶表示パネル等により構成され、例えば、特開２００６−２２７２４９公報等に開示されている電気泳動装置を用いることができる。
【００３１】
温度センサ１１２は、表示部１０６の温度を測定するためのものであり、測定結果をバス１１３を介してＣＰＵ１０１へ送信すると、ＣＰＵ１０１は、表示コントローラ１０７と協動し、測定結果に基づいて表示部１０６を表示制御するための適切な駆動波形を示す制御信号を表示部１０６に送信し、表示部１０６の表示制御を行なうよう構成されている。
【００３２】
図２は、本実施形態に係る制御回路基板１０、表示部１０６、温度センサ１１２等の配置を示す平面図であり、図３は図２のＡ−Ａ断面図である。
【００３３】
制御回路基板１０は、携帯型表示装置１のＣＰＵ１０１、ＲＯＭ１０２、フラッシュＲＯＭ１０３、ＲＡＭ１０４などの構成部材を配置構成するものである。
【００３４】
図２及び図３に示す例の場合、熱を発する発熱部品であるＣＰＵ１０１、メモリ部材（ＲＯＭ１０２、フラッシュＲＯＭ１０３、ＲＡＭ１０４等）、電源回路（バッテリー１０８、電源コントローラ１０９等）、発熱部品でない（非発熱部品）温度センサ１１２や各部材と接続するためのＦＰＣコネクタ等が制御回路基板１０に配置されている。その他の構成部材も制御回路基板１０に配置されているが、ここでの説明は省略する。
【００３５】
表示部１０６は、表示部接続用ＦＰＣ及びＦＰＣコネクタを介して制御回路基板１０と接続され、制御回路基板１０に配されるＣＰＵ１０１及び表示コントローラ１０７からの制御信号に基づいて表示制御が行われる。
【００３６】
そして、図２及び図３に示すように、発熱部品であるＣＰＵ１０１、メモリ部材及び電源回路は、制御回路基板１０上の、表示部１０６の表示面と重ならない位置に配置される。なお、制御回路基板１０は、図３に示すように制御回路基板１０の両面に発熱部品や非発熱部品などの各構成部材を配置構成可能であって、「制御回路基板１０上の」とは、図３の図面中の上下を表わすものではなく、「制御回路基板１０上の、表示部１０６の表示面と重ならない位置」とは、制御回路基板１０の両面における表示部１０６の表示面と重ならない位置を言う。
【００３７】
このように、発熱部品を表示部１０６の表示面と重ならない位置に配置させたので、表示部１０６の温度ムラの発生を抑制して、表示不具合の発生を防ぐことができる。
【００３８】
また、図２及び図３に示すように、制御回路基板１０の一部を表示部１０６の表示面と重なるよう構成したので、省スペース性を向上させることができ、更に、制御回路基板１０の表示部１０６の表示面と重なる位置に非発熱部品である温度センサ１１２を備え、当該温度センサ１１２によって測定された温度に基づいてＣＰＵ１０１及び表示コントローラ１０７が表示部１０６の表示制御を行うよう構成したので、表示部１０６の温度を正確に測定することができる。
【００３９】
特に、表示部１０６が電気泳動表示パネルや液晶表示パネルなど、温度によって表示状態が変動する場合には、表示部１０６の正確な温度測定により、温度補償を高精度に行なうことができる。
【００４０】
図４に表示部１０６と温度センサ１１２の配置の他の実施例を示す。
【００４１】
図２及び図４（Ａ）〜（Ｃ）に示すように、表示部１０６の温度をより正確に測定するため、温度センサ１１２は、制御回路基板１０上の表示部１０６の中央に最も近い位置に配置させることが好ましい。
【００４２】
また、温度センサ１１２を表示部１０６に直接設置させてもよいが、この場合、測定結果を制御回路基板１０に設置されたＣＰＵ１０１へ取り込むための接続用ＦＰＣやＦＰＣコネクタが必要となるため、配線構造等が複雑になり、故障やコスト増大の原因となることが懸念される。
【００４３】
従って、上述した実施形態のように、温度センサ１１２は、制御回路基板１０に設置することが好ましい。
【００４４】
なお、上述した実施形態では、制御回路基板１０の表示部１０６側、つまり、図３において制御回路基板１０の上側に温度センサ１１２を配置したが、表示部１０６とは反対の側、つまり、図３において制御回路基板１０の下側に温度センサ１１２を配置してもよい。
【符号の説明】
【００４５】
１  携帯型表示装置
１０  制御回路基板
１０１  ＣＰＵ
１０２  ＲＯＭ
１０３  フラッシュＲＯＭ
１０４  ＲＡＭ
１０５  操作キー
１０６  表示部
１０７  表示コントローラ
１０８  バッテリー
１０９  充電コントローラ
１１０  メモリカードＩ／Ｆ
１１１  通信Ｉ／Ｆ
１１２  温度センサ
ＭＣ  メモリカード
【図１】
2010170052.tif 000003
【図２】
2010170052.tif 000004
【図３】
2010170052.tif 000005
【図４】
2010170052.tif 000006